(57)【要約】      （修正有）【課題】建築・土木現場において、一般的な連結単管パイプと合成樹脂養生シートの組合せで屋根養生、採暖養生等を行う場合、現場への搬入・搬出及び現場内での移動・保管時に係る作業効率に優れ、特殊又は大掛りな養生法では構造や組立て方法が現場内の普通作業員が経験的、直感的に理解し、施工できるような方法を提供する。【解決手段】現場への搬入・搬出及び現場内での移動・保管を容易に行えるよう短軸材と長軸材の組合せ又はそれらが一体となった部材と垂木状の部材により構成された、長方形の養生支持構造２枚を蝶番で屏風状に組合せ開閉可能とし、クレーン作業に適した折りたたみ式の養生支持構造とした。【選択図】図１
2011196088.tif 000002
【特許請求の範囲】
【請求項１】
短軸材と長軸材の組合せ又はそれらが一体となった部材と、垂木状の部材により構成された長方形の養生支持構造２枚を蝶番で屏風状に組合せ、開閉可能とした養生支持構造。
【請求項２】
短軸材または一体部材のその部分にクレーン吊りのための金具取り付けたことを特徴とする請求項１の養生支持構造。
【請求項３】
クレーン吊りのための金物は短軸材外側面または一体部材のその面に設けるものとし、支持構造が閉状態時の４点吊り用と開状態時の４点吊り用の金具、計８個を設けたことを特徴とする請求項２の養生支持構造。
【請求項４】
支持構造が閉状態時の４点吊り金具が短軸材端部外側面または一体部材のその面で蝶番連結された方の端部に取り付けられたことを特徴とする請求項３の養生支持構造。
【請求項５】
請求項３の支持構造が開状態時の４点吊り金具は、開状態での吊上げ時蝶番部分に大きな曲げモーメントが働かない位置かつ開状態が安定するように、短軸材外側中心部付近で短軸材長さがｌならば、連結部側ではない端部からｌ/３を超えかつｌ/２未満の位置とした養生支持構造。
【請求項６】
請求項１の短軸材又は一体部材の短辺長さは１２００ｍｍ以上２４００ｍｍ以下の範囲とした養生支持構造。
【発明の詳細な説明】
【技術分野】
【０００１】
本発明は搬入、組立て、移動、搬出が容易にクレーン作業で行え、かつ汎用性の高い建築・土木工事の養生支持構造に関するものである。          
【背景技術】
【０００２】
建築・土木工事において養生が必要となる機会は多様で、最も汎用性の高い連結単管パイプを養生支持構造としたものから、大規模な鉄骨構造を用いるものまで様々である。そのため、資材の選定は仮設計画上重要で、工期及び工費に大きく影響をあたえる。
【０００３】
比較的整形な敷地に築造される中・大規模の構造物の全体または大半を覆うような養生には鉄骨構造や膜構造を利用した養生支持を用いる場合が多く、複雑な平面及び断面形態の構造物や小規模構造物ならば連結単管パイプによる養生支持構造が適用されるのが一般的である。
【０００４】
養生支持構造の選定を難しくさせるケースとしては、長さが数百から数キロメートルに及ぶような線状の構造の養生である。幅が３〜５ｍ程度以下で、数キロに及ぶ水路などの線状の構造物の養生は施工範囲も数十ｍまたは数百ｍ単位で移動していくので、大規模な養生方法は向かないため、単管パイプで養生支持ユニットを組立て、施工範囲が移動するにあたり、順次それらユニットをクレーンやバックホウなどの揚重機器で移動しながら行っている。また、移動中にそれらユニットの連結部が緩み、作り直しを行いながら養生を行っていくため、労務費がかさみ、ユニット破損・変形時などは予期せぬ工事の遅延などに繋がっている。
【０００５】
多くの養生支持構造が発案されているが汎用性の高い方法は数少なく、連結単管パイプによる養生支持構造と合成樹脂養生シート材（ブルーシート等）の組合せた養生法がもっとも汎用性の高いものと言える。これは単管パイプという部材やその連結方法が広く普及していて身近であり、養生材としてのブルーシート等も安価で入手しやすく、開口を設けるための切裂き等様々な現場での要求に応えるのに適している材料であり、一般作業員が直感的、経験的に扱える材料であるからと言える。
【先行技術文献】
【特許文献】
【０００６】
【特許文献１】特開２００２−７０１６９
【特許文献２】特開平６−２７２３９４
【特許文献３】特開２００２−１０６１７１
【発明の概要】
【発明が解決しようとする課題】
【０００７】
上記特許文献における方法では仮設屋根としては機能するが、建築・土木工事の施工現場でよくみられる立ち上り鉄筋などを跨いでの架構は屋根部材があるので無理である。
【０００８】
また、現場への搬入・搬出及び現場内での移動・保管・保管時に係る作業効率に対する機能は考えられていない。
【０００９】
構造や組立て方法が複雑で現場内の普通作業員が経験的又は直感的に理解し、施工できるような方法ではない。
【課題を解決するための手段】
【００１０】
建築・土木工事において、仮設・養生屋根組に多くの労力と時間を費やさずに済むように主にクレーン作業で養生支持構造の搬入、組立て、移動、搬出を行えるようにしたものであり、それは次のような特徴を持つ養生支持構造である。
（１）  垂木状の養生支持材とそれらを支えるための短軸材と長軸材の組合せ又はそれらが一体となった長方形の養生支持材受け２組により構成され、支持材受け長軸材又は一体となった部材の長辺部分の片方を蝶番で組合せ、屏風状に開閉可能とした養生支持構造である。
（２）  短軸材側面又は一体となった部材の短辺側面、（支持構造を折り曲げた時に切妻屋根状の形態になるが、このときの妻側けらばの位置）をここでは妻側と呼ぶこととし、その両妻側にクレーン吊りのための金物を取り付けた養生支持構造である。
（３）  クレーン吊りのための金物は妻側一面に対し、４か所、両妻側で計８か所設け、支持構造が閉状態時の４点吊り用と開状態時の４点吊り用の金物を設けた養生支持構造である。
（４）  支持構造が閉状態時の４点吊り金物は短軸材端部で蝶番連結された部分の近傍妻側の位置とした養生支持構造である。
（５）  支持構造が開状態時の４点吊り金物は短軸材中心部付近で短軸材長さがｌならば、連結部ではない側端部からｌ/３以上かつｌ/２以下の妻側位置とした養生支持構造である。
（６）  短軸材または一体部材の短辺の長さは運搬車の荷台の幅を超えない範囲１２００ｍｍ以上２４００ｍｍ以下の範囲とした養生支持構造。
【００１１】
上記を特徴とする養生支持構造の長軸材と短軸材による構成物及び一体となった部材は木材・金属・合成樹脂・グラスファイバー等で構成することが可能である。木材が軽量かつ曲げ体力があり、経済的で現場での使い勝手も釘打ち等が許容できるので適材と言える。また、誤って現場内構造物に接触した場合でも接触対象物が破損するような被害が少ないという利点もある。  大スパンに対して架構が必要とされる場合はＩ型や長方形断面等の断面２次モーメントが高い断面とした金属・合成樹脂・グラスファイバーで構成された部材が適材であり、軸材を組み合わせた構造ではなく上記（１）にあるように軸組みを一体となった部材として構成できるため、安定した構造とすることができるが、現場での取り扱い安さや経済性は木材と比べると劣る。
【発明の効果】
【００１２】
本発明によれば、養生支持構造の構築のために大掛りな構造形式を必要とせず、搬入・組立て・移動・解体時はクレーン作業と共に一般作業員が経験的、直感的に作業が可能であり作業効率が良く、専門職を必要としないため経済的である。また、立ち上り鉄筋や突出物を跨いでの架構が可能であるため、合成樹脂養生シート等との組合せで複雑な形態の構造物に適用できる。
【図面の簡単な説明】
【００１３】
【図１】開状態全体斜景図
【図２】閉状態全体斜景図
【図３】吊り金物位置図
【図４】現場搬入時状況図
【図５】荷降ろし・搬入状況図
【図６】展開状況図
【図７】移動時状況図
【図８】実施図
【発明を実施するための形態】
【００１４】
次に本発明を以下の実施例で詳細に説明する。
【実施例１】
【００１５】
図１に示すような養生支持構造を構成するため、長さ４ｍの長軸材（１）及び長さ２ｍの短軸材（２）、には断面寸法９０ｍｍｘ９０ｍｍの杉正角材を用い、母屋材（３）にはその正角材を半割にした材を用いた。それぞれの結合はほぞ継ぎと一部ビス止めにより固定した。さらに接合部補強の為、火打ち金物（４）を四隅に設けたが、その位置は現場内構造物への接触を考慮して、接合部の内側とした。垂木状の養生支持材（５）は油分の多いカラマツ材断面寸法５０ｍｍｘ２５ｍｍを用いた。カラマツ材はコンクリート打設時にコンクリートが誤って付着硬化した場合でも、除去しやすい性質があるので適材である。
【実施例２】
【００１６】
図２には折りたたんだ状態の養生支持構造が示されている。２枚の長方形部材は幅90ｍｍの溶接用蝶番（６）４か所（図２内では３か所）で接続した。溶接用蝶番の旗は、それぞれ、長さ２４０ｍｍ（コの字上辺７５ｍｍ＋コの字縦辺９０ｍｍ＋コの字底辺７５ｍｍ）、幅１５４ｍｍ、厚さ３．２ｍｍの鉄板を断面がコの字型となって正角材を挟みこむように加工した部材のコの字縦辺部分に縦辺部分が向かい合うよう溶接した。この曲げ鉄板部材は正角材を挟み込み、Ｍ８のボルト２本でコの字の上辺と底辺を貫くように締め付け、この接合部を４か所設けることで、屏風状に開閉できる構造とした。
【実施例３】
【００１７】
図３に示す位置、２ｍ部材の短軸材では自由端部から９００ｍｍの妻側位置にに開状態用の吊り金具（７）をとりつけた。吊り金具も大きな引抜きせん断力が掛かるので、実施例２で用いたコの字断面鉄板に半リング状の吊り輪がプレートに溶接された部材のプレート部を隅肉溶接して取り付けた。
【実施例４】
【００１８】
図４に示すように、本発明の養生支持構造は運搬車（８）の荷台に折りたたんだ状態で積み込む事ができるよう、短軸材の長さまたは一体部材の短軸材（２）にあたる部分の長さが荷台の幅を超えない事が重要である。
【実施例５】
【００１９】
図５は現場への部材搬入時及び部材搬出時の作業である。移動式クレーン若しくは現場内のクレーンで養生支持構造を吊りあげる場合は先ず、閉状態用の吊り金具（９）に吊りワイヤー（１０）を掛けることで閉状態が安定し、無理なく搬出搬入作業を行う事ができる。
【実施例６】
【００２０】
図６は本発明である養生支持構造の展開作業を示している。運搬車からクレーン作業により現場内に搬入できるが、養生支持構造として使用するには開状態にする必要がある。吊りワイヤー（１０）を閉状態用吊り金具に取り付けた状態を保ち、地上付近で普通作業員に自由端部を若干開いた状態にしてもらい、クレーンを巻き下げ接地することで、養生支持構造を開の状態へと展開できる。
【実施例７】
【００２１】
図７は展開後、吊りワイヤー（１０）を開状態用の吊り金具の位置に着け変え、パイプサポートや枠組み支保工等、養生支持構造支保材の上にクレーン作業により吊りあげることができるよう、開状態のまま吊上げた状態を示す。
【実施例８】
【００２２】
図８はパイプサポートを養生支持構造支保（１１）とした例である。  パイプサポートと養生支持構造の連結は９０ｍｍｘ９０ｍｍの角材に見合う大引き受けなどを利用することで、可能である。  枠組み支保材とも、同様に連結が可能であり、一般に建設現場で流通している汎用品との組合せで多様な架構が可能である。
【符号の説明】
【００２３】
１  長軸材
２  短軸材
３  母屋材（養生支持材受け材）
４  火打ち材
５  養生支持材
６  蝶番
７  開状態用吊り金具
８  運搬車
９  閉状態用吊り金具
１０  吊りワイヤー
１１  養生支持構造支保  
【図１】
2011196088.tif 000003
【図２】
2011196088.tif 000004
【図３】
2011196088.tif 000005
【図４】
2011196088.tif 000006
【図５】
2011196088.tif 000007
【図６】
2011196088.tif 000008
【図７】
2011196088.tif 000009
【図８】
2011196088.tif 000010